(57)【特許請求の範囲】
【請求項１】
第１レーザ光を出射する第１レーザ光源と、
前記第１レーザ光とは異なる波長の第２レーザ光を出射する第２レーザ光源と、
前記第１レーザ光源から出射された前記第１レーザ光と、前記第２レーザ光源から出射された前記第２レーザ光とを合波する合波部と、
前記合波部が合波した前記第１レーザ光および前記第２レーザ光が入射され、互いに対向する第１面と第２面との間で、前記第１レーザ光および前記第２レーザ光を伝搬する第１導光部と、
前記第１面側に設けられ、前記第２面側に、前記第１レーザ光および前記第２レーザ光を反射する反射部と、
前記第２レーザ光源から出射された前記第２レーザ光が入射され、前記第２レーザ光を伝搬する第２導光部と、
前記第２導光部を伝搬する前記第２レーザ光を、前記合波部を構成するダイクロイックミラー部に向けて反射するミラー部と、有し、
前記第２導光部は、前記第１導光部の前記第１面側で、前記第１導光部と平行に配置され、
前記第１導光部と前記第２導光部とは一体的に形成されていることを特徴とする発光装置。
【請求項２】
第１レーザ光を出射する第１レーザ光源と、
前記第１レーザ光とは異なる波長の第２レーザ光を出射する第２レーザ光源と、
前記第１レーザ光源から出射された前記第１レーザ光と、前記第２レーザ光源から出射された前記第２レーザ光とを合波する合波部と、
前記合波部が合波した前記第１レーザ光および前記第２レーザ光が入射され、互いに対向する第１面と第２面との間で、前記第１レーザ光および前記第２レーザ光を伝搬する第１導光部と、
前記第１面側に設けられ、前記第２面側に、前記第１レーザ光および前記第２レーザ光を反射する反射部と、
前記第２レーザ光源から出射された前記第２レーザ光が入射され、前記第２レーザ光を伝搬する第２導光部と、
前記第２導光部を伝搬する前記第２レーザ光を、前記合波部を構成するダイクロイックミラー部に向けて反射するミラー部と、有し、
前記ダイクロイックミラー部は、前記第２導光部側が前記第１レーザ光源側に突出して傾斜するように配置され、
前記ミラー部は、前記第１導光部側が前記第１レーザ光源側に突出して傾斜するように配置されたことを特徴とする発光装置。
【請求項３】
前記第２面側に設けられ、前記反射部側から入射された第１レーザ光および第２レーザ光の波長を変換する波長変換部をさらに有することを特徴とする請求項１または請求項２に記載の発光装置。
【請求項４】
前記波長変換部は、第１蛍光体と、前記第１蛍光体とは励起スペクトルおよび蛍光スペクトルが異なる第２蛍光体と、を含んだ蛍光部であることを特徴とする請求項３に記載の発光装置。
【請求項５】
請求項３または請求項４に記載の発光装置を備える照明ランプであって、
前記波長変換部で変換された光を透過させるカバーを有することを特徴とする照明ランプ。
【請求項６】
前記カバーは、円筒状に形成されたことを特徴とする請求項５記載の照明ランプ。
【請求項７】
当該照明ランプは、長尺で、外形が円筒形状である直管型照明ランプであることを特徴とする請求項５または請求項６に記載の照明ランプ。
【請求項８】
請求項５〜請求項７の何れか１項に記載の照明ランプを備えることを特徴とする照明装置。
【発明の詳細な説明】
【技術分野】
【０００１】
この発明は、発光装置、照明ランプおよび照明装置に関する。
【背景技術】
【０００２】
従来、導光板の入射端部からレーザ光を入射して、導光板の光取り出し面から光を出射する発光装置が知られている。例えば、以下の特許文献１に記載の発光装置では、導光板の入射端部に対向して配置されたレーザ光源が、導光板にレーザ光を入射している。
【先行技術文献】
【特許文献】
【０００３】
【特許文献１】特開２００６−７３２０２号公報（第５〜６頁、図２）
【発明の概要】
【発明が解決しようとする課題】
【０００４】
しかしながら、特許文献１に記載の発光装置では、導光板の入射端部に対向して配置されたレーザ光源のみから、レーザ光を入射しているため、光取り出し面から所望とする照度の光が得られない場合がある。
【０００５】
この発明は、上記課題を解決するためになされたものであり、高照度の発光装置、照明ランプおよび照明装置を得ることを目的とするものである。
【課題を解決するための手段】
【０００６】
この発明の発光装置は、第１レーザ光を出射する第１レーザ光源と、第１レーザ光とは異なる波長の第２レーザ光を出射する第２レーザ光源と、第１レーザ光源から出射された第１レーザ光と、第２レーザ光源から出射された第２レーザ光とを合波する合波部と、合波部が合波した第１レーザ光および第２レーザ光が入射され、互いに対向する第１面と第２面との間で、第１レーザ光および第２レーザ光を伝搬する第１導光部と、第１面側に設けられ、第２面側に、第１レーザ光および第２レーザ光を反射する反射部と、第２レーザ光源から出射された第２レーザ光が入射され、第２レーザ光を伝搬する第２導光部と、第２導光部を伝搬する第２レーザ光を、合波部を構成するダイクロイックミラー部に向けて反射するミラー部と、有し、第２導光部は、第１導光部の第１面側で、第１導光部と平行に配置され、第１導光部と第２導光部とは一体的に形成されていることを特徴とする。
【発明の効果】
【０００７】
この発明によれば、合波部で合波された第１レーザ光と第２レーザ光とが、第１導光部に入射されているため、高照度の発光装置、照明ランプおよび照明装置を得ることができる。
【図面の簡単な説明】
【０００８】
【図１】この発明の実施の形態１に係る照明ランプを備えた照明装置の斜視図である。
【図２】図１に記載の照明ランプの斜視図である。
【図３】図２のＡ−Ａ断面を概略的に記載した概略断面図である。
【図４】図３の断面図の両端を拡大した拡大図である。
【図５】図４のＣ−Ｃ断面を概略的に記載した概略断面図である。
【図６】図５のＤ−Ｄ断面を概略的に記載した概略断面図である。
【図７】図１に記載の照明装置のブロック図である。
【図８】図４に示す光源ユニットおよび波長変換部の特性の一例を示すグラフである。
【図９】図７に記載のブロック図の変形例１である。
【図１０】図１に記載の照明装置の変形例１である。
【図１１】図１０に記載の照明装置の照明ランプの部分のＥ−Ｅ断面を概略的に記載した概略断面図である。
【図１２】この発明の実施の形態２に係る照明ランプの断面（図４のＣ−Ｃ断面）を概略的に記載した概略断面図である。
【図１３】図１２に記載の照明ランプのブロック図である。
【図１４】この発明の実施の形態３に係る照明ランプの断面（図５のＤ−Ｄ断面）を概略的に記載した概略断面図である。
【図１５】この発明の実施の形態４に係る発光装置の断面を概略的に記載した概略断面図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その大きさおよび配置は、この発明の範囲内で適宜変更することができる。
【００１０】
実施の形態１．
図１は、この発明の実施の形態１に係る発光装置７が収納された照明ランプ１を備える照明装置６００の斜視図である。この実施の形態に係る発光装置７、照明ランプ１および照明装置６００は、照度が高い光を得ることができる。
【００１１】
［照明装置］
照明装置６００は、固定具（図示せず）を介して、例えば、天井に取り付けられる。照明装置６００は、着脱自在の照明ランプ１と、照明ランプ１に給電して照明ランプ１を点灯させる照明器具５００とを備えている。照明ランプ１が点灯することによって床面、室内空間などに光が照射される。
【００１２】
照明器具５００は、器具本体１４０と、照明ランプ１の上側に配設された反射板１１５とを備えている。また、照明器具５００は、照明ランプ１の両端に設けられた口金５（図２を参照）と電気的に接続される一対のソケット１００を備えている。ソケット１００は、照明ランプ１を機械的に支持する役割も有している。また、器具本体１４０には、ＡＣ−ＤＣ変換部１３０が収納されている。ＡＣ−ＤＣ変換部１３０は、スイッチ（図示せず）をＯＮの状態に切り替えると、ソケット１００を介して照明ランプ１に給電し、スイッチをＯＦＦの状態に切り替えると、照明ランプ１への給電を停止するものである。
【００１３】
［照明ランプ］
図２は、図１に記載の照明ランプ１の斜視図である。照明ランプ１は、例えば、円筒形状の外郭であるカバー４と、カバー４の両端に取り付けられた一対の口金５と、カバー４内に収納された発光装置７（図３を参照）とを備えている。照明ランプ１は、長尺で外形が円筒形状である直管タイプのものである。
【００１４】
［カバー］
カバー４は、周壁が長手方向（矢印Ｙ方向）に平行に延びるように形成された筒状部材である。カバー４は、その内部に発光装置７を収納している。カバー４は、透光性を有し、発光装置７から出射された光を外部に透過させるものである。カバー４は、例えば、樹脂材料を押出成形することで得られる。カバー４を構成する樹脂材料としては、例えば、ポリカーボネート（ＰＣ）またはアクリル（ＰＭＭＡ）などが使用される。
【００１５】
カバー４は、照明ランプ１の設計仕様に応じて拡散、反射、演色などの光学的な機能をもたせることができる。例えば、カバー４は、光を拡散透過する乳白色管となるように、拡散材を混ぜ込んだ樹脂材料で形成される。なお、カバー４を構成する材料としては、樹脂材料に限定されるものではなく、例えば、ガラス管若しくは樹脂にガラスなどが混在したハイブリットタイプなどを採用してもよい。
【００１６】
カバー４は、少なくとも一部に光が出射する領域を有する構成であってもよい。例えば、カバー４は、照明ランプ１の出射側が透光樹脂で構成され、他の部分は白色高反射樹脂で構成される。また、カバー４は、断面形状が多角形の角筒または半円筒のような他の筒状の管であってもよい。また、カバー４は、照明ランプ１の出射側のみを覆う板状の部材であってもよい。
【００１７】
［口金］
口金５は、カバー４の両端に取り付けられている。口金５は、図１に示すソケット１００の両側に挿入されるものである。口金５がソケット１００に挿入されると、照明ランプ１は、照明器具５００に機械的に支持され、且つ照明器具５００と電気的に接続される。なお、口金５は、例えばＧ１３タイプなどの口金を採用することができるが、それに限定されるものではなく、他の種類の口金を採用してもよい。
【００１８】
図２に示すように、口金５は、導電性を有する給電端子５１と、給電端子５１が埋め込まれた絶縁性の口金筐体５０とを備えている。給電端子５１と口金筐体５０は、例えばインサート成形などで一体的に形成される。
【００１９】
給電端子５１は、例えば、導電性を有する金属で構成され、口金筐体５０は、例えば、絶縁性を有する樹脂材料で構成される。給電端子５１には、例えば、酸化を防止するためのメッキ処理等が施されている。なお、口金筐体５０と給電端子５１との絶縁が確保されている場合には、口金筐体５０は金属で構成されてもよい。
【００２０】
［照明ランプの内部構成］
次に、図３〜図６を用いて、照明ランプ１の内部構成について説明する。図３は、図２のＡ−Ａ断面を概略的に記載した概略断面図であり、図４は、図３の断面図の両端を拡大した拡大図であり、図５は、図４のＣ−Ｃ断面を概略的に記載した概略断面図であり、図６は、図５のＤ−Ｄ断面を概略的に記載した概略断面図である。照明ランプ１は、カバー４と口金５とで覆われた内部空間に、放熱ユニット６と発光装置７とを収容している。
【００２１】
［発光装置］
発光装置７は、光源ユニット１０と光学ユニット２０とを有する。光源ユニット１０は、第１光源ユニット１１と第２光源ユニット１２とを含み、光学ユニット２０は、第１光学ユニット２１と第２光学ユニット２２とを含む。
【００２２】
［第１光源ユニット］
第１光源ユニット１１は、照明ランプ１の長手方向（矢印Ｙ方向）の一方の端部側（図３の右側）から、第１光学ユニット２１に向けて、光を出射するものである。第１光源ユニット１１は、例えば、カバー４の一方の端部側に設置された口金５に取り付けられている。このため、口金５をカバー４に取り付けるのみで、第１光源ユニット１１の位置決めが行われる。第１光源ユニット１１から出射された光は、第１光学ユニット２１に入射される。
【００２３】
第１光源ユニット１１は、基板１１３に設置されたレーザ光源パッケージ１１０およびＤＣ−ＤＣ変換部１１４を有する。基板１１３は、例えば、リジット基板またはフレキシブル基板等で構成される。基板１１３は、例えば、ハンダ付けなどの方法によって、口金５の給電端子５１に接続され、口金５と電気的および機械的に接続される。
【００２４】
基板１１３には、図示を省略してある電極パッドおよび配線パターンなどが形成されている。電極パッド及び配線パターンを構成する材料としては、例えば銅、アルミニウムなどの電気抵抗の小さい金属が採用される。基板１１３上には、例えば、白色のレジストが塗布されて、レジスト膜部が形成される。レジスト膜部は、配線パターン等の保護を行うとともに、配線間の絶縁性を向上させる。また、レジスト膜部は、光を反射する機能も有する。なお、基板１１３に、光を反射するための反射シートが貼り付けてあってもよい。
【００２５】
ＤＣ−ＤＣ変換部１１４は、レーザ光源パッケージ１１０に駆動電力を供給するものである。ＤＣ−ＤＣ変換部１１４は、例えば、基板１１３に実装された電子部品を含む電気回路である。口金５の給電端子５１を介して、基板１１３に電力が供給されると、ＤＣ−ＤＣ変換部１１４は、レーザ光源パッケージ１１０に駆動電力を供給する。
【００２６】
レーザ光源パッケージ１１０は、レーザ光を出射するレーザ光源である。レーザ光源パッケージ１１０は、例えば、基板１１３の電極パッド上にリード端子１１０Ｂをハンダ付けするなどの方法で固定される。レーザ光源パッケージ１１０は、第１光学ユニット２１の入射端部３１の形状に合わせて、列状に複数配置される。レーザ光源パッケージ１１０は、第１光学ユニット２１の入射端部３１との間に間隙を設けて設置されている。したがって、レーザ光源パッケージ１１０の熱が、第１光学ユニット２１に伝わらないように構成されている。この実施の形態の例では、１列の直線状に配置されたレーザ光源パッケージ１１０が、第１光学ユニット２１の入射端部３１にレーザ光を入射している。
【００２７】
レーザ光源パッケージ１１０は、レーザ光を出射するレーザ光源１１１とレーザ光を集光する集光レンズ１１２とを有する。レーザ光源１１１は、ＤＣ−ＤＣ変換部１１４から駆動電力の供給を受けてレーザ光を出射する。この実施の形態のレーザ光源１１１は、例えば、４００〜４８０ｎｍ程度の青色帯域のレーザ光を出射するものであるが、他の波長域のレーザ光を出射するものであってもよい。集光レンズ１１２で集光されたレーザ光は、レーザ光源パッケージ１１０から第１光学ユニット２１の入射端部３１に向けて出射される。なお、この実施の形態の例では、レーザ光源パッケージ１１０は、レーザ光を集光する集光レンズ１１２を有するものとして説明を行ったが、後述する第１光学ユニット２１がレーザ放射角に最適化した設計であれば、集光レンズ１１２を省略してもよい。例えば、レーザ光源パッケージ１１０と第１光学ユニット２１の入射端部３１とが近接している場合には、集光レンズ１１２を省略することができる。
【００２８】
なお、例示したような、１個の半導体チップをパッケージ化したレーザ光源パッケージ１１０の代わりに、チップオンボード（ＣＯＢ）などのように半導体チップを直接基板１１３に実装する構成でもよく、あるいは、複数の半導体チップをパッケージ化した半導体レーザアレイを、直接、基板１１３に実装する構成であってもよい。また、レーザ光源パッケージ１１０の個数、配置、種類は、照明ランプ１の用途などに応じて適宜変更することができる。また、レーザ光源パッケージ１１０を用いる代わりに、ＬＥＤ光源パッケージ等の他の光源を用いる構成であってもよい。
【００２９】
［第１光学ユニット］
第１光学ユニット２１は、照明ランプ１の長手方向（矢印Ｙ方向）に沿って延びる長尺の板状部材である。平板状の第１光学ユニット２１は、長手方向の一方の端部側（図３の右側）に入射端部３１を有する。第１光学ユニット２１は、入射端部３１からレーザ光を入射して、出射光を照明ランプ１の出射側に出射する。
【００３０】
第１光学ユニット２１は、第１導光部３０、反射部３２および波長変換部３４を含む。第１導光部３０を挟んで両面に、反射部３２と波長変換部３４とが対向して配置されている。詳しくは、第１導光部３０の第１面３３Ａ側に反射部３２が配置され、第１導光部３０の第１面３３Ａに対向する第２面３３Ｂ側に波長変換部３４が配置されている。後述するように、第２光学ユニット２２から出射された光を第１光学ユニット２１に入射させるための経路（ミラー部２２２とダイクロイックミラー部３１Ａとの間）には、反射部３２が配置されない。この実施の形態に係る第１光学ユニット２１は、反射部３２、第１導光部３０および波長変換部３４が一体的に積層された積層部材である。なお、第１光学ユニット２１は、それぞれが別個に構成された、第１導光部３０、反射部３２および波長変換部３４が、一体的に積層されたものであってもよい。さらに、波長変換部３４は、第１導光部３０と離間して配置されていてもよい。
【００３１】
なお、第１光学ユニット２１の長手方向に沿って延びる両端部には、そこから光が漏れ出さないように、反射要素がさらに設けられていてもよい。また、第１導光部３０と波長変換部３４との間には、反射の繰り返し回数を増やして光をさらに均一にするように、反射要素がさらに設けられていてもよい。これらの反射要素は、例えば、該当箇所にアルミニウム等の蒸着膜を形成することで設けられる。
【００３２】
第１導光部３０は、例えば、アクリル（ＰＭＭＡ）、ポリカーボネート（ＰＣ）またはガラス等の透光性を有する材質で形成された板状の部材である。第１導光部３０の長手方向の一方の端部には、入射端部３１が形成されている。
【００３３】
入射端部３１は、例えば、誘電体多層膜がコーティングされてなる、ダイクロイックミラー部３１Ａが形成された合波部を兼ねている。ダイクロイックミラー部３１Ａは、特定の波長を反射し、それ以外の波長は透過する機能を有するものである。この実施の形態に係るダイクロイックミラー部３１Ａは、第１光源ユニット１１から出射された光を透過し、後述する第２光源ユニット１２から出射された光を反射して、これらの光を第１導光部３０に入射させるものである。合波部を兼ねた入射端部３１は、第１導光部３０の第１面３３Ａ側が、第２面３３Ｂ側よりも、第１光源ユニット１１側に突出するように形成されている。
【００３４】
入射端部３１から入射された光は、第１導光部３０の長手方向に沿って伝搬される。すなわち、入射端部３１から入射された光は、第１導光部３０の放熱ユニット６側の第１面３３Ａと第１面３３Ａに対向する第２面３３Ｂとの間で反射を繰り返しながら、第１導光部３０の長手方向に伝搬する。
【００３５】
反射部３２は、例えば、第１導光部３０の第１面３３Ａ側に形成された凸形状の構造パターンである。第１導光部３０の長手方向に伝搬された光が、凸形状の反射部３２に入射すると、その曲面によって反射される。このときに、第１導光部３０の界面における全反射条件を満たさなくなる光が生じ、その光が第１導光部３０の第２面３３Ｂに向かって進行する。反射部３２で反射された光は、第２面３３Ｂを通過して、波長変換部３４に入射される。
【００３６】
第１導光部３０の第１面３３Ａ側に形成された反射部３２の構造パターンは、第１光源ユニット１１に対する位置に応じて配置密度が変化している。例えば、第１光源ユニット１１に対する位置に応じて、反射部３２の構造パターンの単位面積当たりの数または大きさ等を変化させたり、形状を変化させたりして、第１導光部３０の第２面３３Ｂから出射される光の長手方向（Ｙ方向）の光量分布を均一化させている。なお、反射部３２の構造パターンは、凸形状に限定されない。すなわち、反射部３２の構造パターンは、プリズム形状、ランダムな凹凸パターン形状などであってもよい。反射部３２の構造パターンは、形状に応じて、プレス成形、パンチング、切削、サンドブラスト等の方法を適宜選択して形成することができる。また、第１導光部３０の第１面３３Ａ側に、拡散機能を有する反射部３２を形成してもよい。
【００３７】
また、光の光量分布を均一化するように、第１光学ユニット２１の厚寸分布を調整してあってもよい。また、第１導光部３０の全反射条件を調整して、光の光量分布を均一化するように、第１導光部３０は、異なる屈折率を有する複数の層で形成されてもよい。第１導光部３０の複数の層は、例えば、異なる材質で形成され、または、同一の材質の基板に、ゲルマニウム（Ｇｅ）またはリン（Ｐ）等が添加されることによって形成される。なお、反射部３２は、第１導光部３０を伝搬するレーザ光のみではなく、波長変換部３４が発した光を反射する。
【００３８】
第１導光部３０の第２面３３Ｂ側には、波長変換部３４が配置されている。波長変換部３４は、第２面３３Ｂから出射されたレーザ光の波長を変換するものである。波長変換部３４は、例えば、蛍光体を含んで構成された蛍光部であり、第２面３３Ｂから出射されたレーザ光を受けて、レーザ光と異なる波長で発光するとともに、レーザ光を透過させる。
【００３９】
波長変換部３４に入射された光は、波長変換部３４の蛍光体に照射されて、黄色光に変換されるとともに、適度に散乱を繰り返しながら波長変換部３４を通過する。その結果、青色のレーザ光と黄色の蛍光とが混ざって所望の色温度の光（例えば、白色）を得ることができる。すなわち、波長変換部３４は、青色帯域の波長を有するレーザ光と、青色帯域の波長を有するレーザ光に励起されて波長変換部３４から発せられる黄色の蛍光とが混合された光を出射する。このときに、青色のレーザ光のスペックルノイズは、波長変換部３４内で散乱することによってコヒーレンスが低減しているため、波長変換部３４が出射した光のスペックルノイズが低減されている。
【００４０】
波長変換部３４は、例えば、ＹＡＧ系、シリケート系、カズン系、サイアロン系、チオガレート系、などの蛍光体を、エポキシ樹脂またはシリコーン樹脂に混合して形成されている。この実施の形態の例では、波長変換部３４は、第１導光部３０の第２面３３Ｂに塗布されて形成された蛍光体層である。波長変換部３４には、蛍光体が均一に分散されている。波長変換部３４の蛍光体は、青色のレーザ光によって励起されて、黄色の波長の光を発する。青色のレーザ光と黄色の蛍光が混合されて、波長変換部３４から出射された白色の光は、カバー４によって拡散されて、照明ランプ１から出射される。
【００４１】
［第２光源ユニット］
第２光源ユニット１２は、照明ランプ１の長手方向（矢印Ｙ方向）の他方の端部側（図３の左側）から、第２光学ユニット２２に向けて、光を出射するものである。第２光源ユニット１２は、例えば、カバー４の他方の端部側に設置された口金５に取り付けられている。このため、口金５をカバー４に取り付けるのみで、第２光源ユニット１２の位置決めが行われる。第２光源ユニット１２から出射された光は、第２光学ユニット２２に入射される。
【００４２】
第２光源ユニット１２は、基板１２３に設置されたレーザ光源パッケージ１２０およびＤＣ−ＤＣ変換部１２４を有する。基板１２３は、例えば、リジット基板またはフレキシブル基板等で構成される。基板１２３は、例えば、ハンダ付けなどの方法によって、口金５の給電端子５１に接続され、口金５と電気的および機械的に接続される。
【００４３】
基板１２３には、図示を省略してある電極パッドおよび配線パターンなどが形成されている。電極パッド及び配線パターンを構成する材料としては、例えば銅、アルミニウムなどの電気抵抗の小さい金属が採用される。基板１２３上には、例えば、白色のレジストが塗布されて、レジスト膜部が形成される。レジスト膜部は、配線パターン等の保護を行うとともに、配線間の絶縁性を向上させる。また、レジスト膜部は、光を反射する機能も有する。なお、基板１２３に、光を反射するための反射シートが貼り付けてあってもよい。
【００４４】
ＤＣ−ＤＣ変換部１２４は、レーザ光源パッケージ１２０に駆動電力を供給するものである。ＤＣ−ＤＣ変換部１２４は、例えば、基板１２３に実装された電子部品を含む電気回路である。口金５の給電端子５１を介して、基板１２３に電力が供給されると、ＤＣ−ＤＣ変換部１２４は、レーザ光源パッケージ１２０に駆動電力を供給する。
【００４５】
レーザ光源パッケージ１２０は、レーザ光を出射するレーザ光源である。レーザ光源パッケージ１２０は、例えば、基板１２３の電極パッド上にリード端子１２０Ｂをハンダ付けするなどの方法で固定される。複数のレーザ光源パッケージ１２０は、第２光学ユニット２２の入射端部２２１の形状に合わせて、列状に配置される。レーザ光源パッケージ１２０は、第２光学ユニット２２の入射端部２２１との間に間隙を設けて設置されている。したがって、レーザ光源パッケージ１２０の熱が、第２光学ユニット２２に伝わらないように構成されている。この実施の形態の例では、１列の直線状に配置されたレーザ光源パッケージ１２０が、第２光学ユニット２２の入射端部２２１にレーザ光を入射している。
【００４６】
レーザ光源パッケージ１２０は、レーザ光を出射するレーザ光源１２１とレーザ光を集光する集光レンズ１２２とを有する。レーザ光源１２１は、ＤＣ−ＤＣ変換部１２４から駆動電力の供給を受けてレーザ光を出射する。この実施の形態のレーザ光源１２１は、例えば、４００〜４８０ｎｍ程度の青色帯域のレーザ光を出射するものであるが、他の波長域のレーザ光を出射するものであってもよい。集光レンズ１２２で集光されたレーザ光は、レーザ光源パッケージ１２０から第２光学ユニット２２の入射端部２２１に向けて出射される。なお、この実施の形態の例では、レーザ光源パッケージ１２０は、レーザ光を集光する集光レンズ１２２を有するものとして説明を行ったが、後述する第２光学ユニット２２がレーザ放射角に最適化した設計であれば、集光レンズ１２２を省略してもよい。例えば、レーザ光源パッケージ１２０と第２光学ユニット２２の入射端部２２１とが近接している場合には、集光レンズ１２２を省略することができる。
【００４７】
なお、例示したような、１個の半導体チップをパッケージ化したレーザ光源パッケージ１２０の代わりに、チップオンボード（ＣＯＢ）などのように半導体チップを直接基板１２３に実装する構成でもよく、あるいは、複数の半導体チップをパッケージ化した半導体レーザアレイを用いる構成であってもよい。また、レーザ光源パッケージ１２０の個数、配置、種類は、照明ランプ１の用途などに応じて適宜変更することができる。また、レーザ光源パッケージ１２０を用いる代わりに、ＬＥＤ光源パッケージ等の他の光源を用いる構成であってもよい。
【００４８】
［第２光学ユニット］
第２光学ユニット２２は、照明ランプ１の長手方向（矢印Ｙ方向）に沿って延びる長尺の板状部材である。第２光学ユニット２２は、第１光学ユニット２１の第１面３３Ａ側に、第１光学ユニット２１と平行に、配置されている。第２光学ユニット２２は第２導光部２２０を有する。第１光学ユニット２１と第２光学ユニット２２との間には、例えば、第１光学ユニット２１の第１導光部３０および第２光学ユニット２２の第２導光部２２０よりも、屈折率が低い樹脂層が形成されており、第１光学ユニット２１および第２光学ユニット２２は、一体的に形成されている。
【００４９】
平板状の第２光学ユニット２２は、長手方向の他方の端部側（図３の左側）に入射端部２２１を有する。第２光学ユニット２２は、入射端部２２１からレーザ光を入射して、第１光学ユニット２１のダイクロイックミラー部３１Ａに向けて、レーザ光を伝搬させるものである。
【００５０】
第２光学ユニット２２は、第２光源ユニット１２側の他方の端部側に入射端部２２１を有し、一方の端部側（図３の右側）にミラー部２２２を有する。入射端部２２１およびミラー部２２２は、第２導光部２２０に形成されている。
【００５１】
第２導光部２２０は、例えば、アクリル（ＰＭＭＡ）、ポリカーボネート（ＰＣ）またはガラス等の透光性を有する材質で形成された板状の部材である。第２導光部２２０の他方の端部に形成された入射端部２２１は、第２光源ユニット１２からの光を効率よく入射できるように、例えば、平面または曲面で形成されている。ここで、曲面は、テクスチャーパタン状に形成された面を含む。第２導光部２２０の一方の端部に形成されたミラー部２２２は、例えば、第２導光部２２０に、アルミニウム等の蒸着膜を形成することによって形成される。ミラー部２２２は、第１光学ユニット２１側が、第１光源ユニット１１側に突出して傾斜するように配置されている。
【００５２】
入射端部２２１から入射された光は、第２導光部２２０の長手方向に沿って伝搬される。すなわち、入射端部２２１から入射された光は、第２導光部２２０の放熱ユニット６側の第１面２２０Ａと第１面２２０Ａに対向する第２面２２０Ｂとの間で反射を繰り返しながら、第２導光部２２０の長手方向に伝搬する。第２導光部２２０の他方の端部側に伝搬された光は、ミラー部２２２で反射されて、第１光学ユニット２１のダイクロイックミラー部３１Ａに入射される。この実施の形態の例では、ミラー部２２２で反射された光が、ダイクロイックミラー部３１Ａに入射されるように、ミラー部２２２とダイクロイックミラー部３１Ａとの間には、反射部３２が配置されないように構成されている。なお、反射部３２が、ミラー部２２２で反射された光を透過するように構成されている場合には、反射部３２は、ミラー部２２２とダイクロイックミラー部３１Ａとの間に延びて、ミラー部２２２とダイクロイックミラー部３１Ａとの間に配置されていてもよい。
【００５３】
［光学ユニットの保持構造］
第１光学ユニット２１および第２光学ユニット２２は、カバー４の内部に形成された支持部４３によってカバー４に保持されている。支持部４３は、カバー４の内面４１の２箇所に形成された溝である。支持部４３を構成する溝は、カバー４の長手方向に沿って形成されており、第１光学ユニット２１の長手方向に平行な端部が挿入される。
【００５４】
第１光学ユニット２１および第２光学ユニット２２の長手方向に平行な端部が、支持部４３に挿入されると、長手方向以外の動きが規制され、カバー４内で確実に支持される。また、支持部４３には、第１光学ユニット２１および第２光学ユニット２２の長手方向に沿った位置を位置決めする位置決め部（図示を省略）が形成されている。例えば、第１光学ユニット２１および第２光学ユニット２２が位置決め部に位置決めされて、その後に、第１光学ユニット２１および第２光学ユニット２２がカバー４に接着されることによって、第１光学ユニット２１の長手方向の位置が規制される。
【００５５】
第１光学ユニット２１および第２光学ユニット２２は、好適には、カバー４の中心を含む位置に配置されているため、第１光学ユニット２１および第２光学ユニット２２を大型化することができる。また、第１光学ユニット２１とカバー４の光出射面との間の間隔を離すことができるので、大きな拡散効果を得ることができる。さらに、第１光学ユニット２１は平板形状であり、カバー４の光出射面は円筒形状である。第１光学ユニット２１の短手方向に沿って、光が強く照射される中央位置では、第１光学ユニット２１とカバー４の出射面との間隔が大きくなっているため、大きな拡散効果を得ることができる。その結果、カバー４の外面４０から均一な光を出射させることができる。
【００５６】
［放熱ユニット］
放熱ユニット（ヒートシンク）６は、一対の口金５の間に配置され、照明ランプ１の長手方向に沿って延びている。放熱ユニット６は、凹凸形状のフィン６１を有し、表面積が大きく形成されている。放熱ユニット６の両端には、ねじ取付け部６０が形成されている。また、口金５には、ねじ取付け部（貫通孔）５２が形成されている。放熱ユニット６のねじ取付け部６０と口金５のねじ取付け部５２とを合わせるように位置決めした状態で、ねじ８によってねじ止めされる。例えば、口金５と放熱ユニット６とがねじ止めされた後に、口金５とカバー４との間に接着部材９が充填される。なお、放熱ユニット６は、第２光学ユニット２２の第２面２２０Ｂ側で、第２光学ユニット２２と間隙を設けて設置されており、放熱ユニット６の熱が、第２光学ユニット２２に直接的に伝わらないようになっている。
【００５７】
放熱ユニット６は、カバー４の一端側から他端側に延びて、口金５に取り付けられているため、カバー４およびカバー４に設置された第１光学ユニット２１の変形が抑制されている。また、放熱ユニット６が大型化されているため、第１光源ユニット１１の発熱を好適に抑えることができる。
【００５８】
レーザ光源１１１から発生した動作熱は、基板１１３を介して放熱ユニット６に伝わり、カバー４および口金５から、照明ランプ１の外側に放出される。なお、放熱を促進するように、基板１１３に放熱板を兼ねたホルダ１１０Ａを基板１１３から起立させて取り付けてあってもよい。ホルダ１１０Ａは、熱伝導性を有する材料で形成されるものであり、鉄、アルミニウム、またはこれらを含む合金等の金属材料で形成される。ホルダ１１０Ａは、例えば、金属材料を押出成形して得られる。ホルダ１１０Ａは、熱伝導性を有するセラミックまたは熱伝導性のフィラーなどを混ぜ込んだ高熱伝導樹脂等で構成されてもよい。また、基板１１３と放熱ユニット６との間の熱伝導性を高めるために、基板１１３と放熱ユニット６との間に、例えば、熱伝導性樹脂を充填してあってもよい。
【００５９】
また、レーザ光源１２１から発生した動作熱は、基板１２３を介して放熱ユニット６に伝わり、カバー４および口金５から、照明ランプ１の外側に放出される。なお、放熱を促進するように、基板１２３に放熱板を兼ねたホルダ１２０Ａを基板１２３から起立させて取り付けてあってもよい。ホルダ１２０Ａは、熱伝導性を有する材料で形成されるものであり、鉄、アルミニウム、またはこれらを含む合金等の金属材料で形成される。ホルダ１２０Ａは、例えば、金属材料を押出成形して得られる。ホルダ１２０Ａは、熱伝導性を有するセラミックまたは熱伝導性のフィラーなどを混ぜ込んだ高熱伝導樹脂等で構成されてもよい。また、基板１２３と放熱ユニット６との間の熱伝導性を高めるために、基板１２３と放熱ユニット６との間に、例えば、熱伝導性樹脂を充填してあってもよい。
【００６０】
放熱ユニット６は、熱伝導性を有する材料で形成されるものであり、例えば、鉄、アルミニウム、またはこれらを含む合金等の金属材料で形成される。放熱ユニット６は、例えば、金属材料を押出成形して得られる。また、放熱ユニット６は、熱伝導性を有するセラミックまたは熱伝導性のフィラーなどを混ぜ込んだ高熱伝導樹脂等で構成されてもよい。
【００６１】
なお、放熱ユニット６の主面６２には、反射シートが貼り付けられ、または、反射塗料が塗布されており、反射面が形成されている。放熱ユニット６側に出射された光は、放熱ユニット６の主面４６で反射されて、第１光学ユニット２１に入射される。または、放熱ユニット６の主面６２には、絶縁層および回路パターンが形成され、レーザ光源パッケージ、ＤＣ−ＤＣ変換部などが実装される。
【００６２】
放熱ユニット６、ホルダ１１０Ａ及びホルダ１２０Ａは、コの字状に一体成形されてもよい。このようにすることで、レーザ光源１１１およびレーザ光源１２１の動作熱は、より効率的に放熱ユニット６に伝達されるので、レーザ光源１１１およびレーザ光源１２１の動作温度を抑制することができ、照明ランプ１の信頼性を向上させることができる。
【００６３】
図７は、図１に記載の照明装置６００のブロック図である。交流電源から入力された交流電圧は、器具本体１４０のＡＣ−ＤＣ変換部１３０に入力される。ＡＣ−ＤＣ変換部１３０は、電気回路で構成されており、入力された交流電圧を整流して、直流電圧に変換する。ＡＣ−ＤＣ変換部１３０で変換された直流電圧は、ソケット１００に取り付けられた照明ランプ１の口金５の給電端子５１を介して、ＤＣ−ＤＣ変換部１１４およびＤＣ−ＤＣ変換部１２４に入力される。ＤＣ−ＤＣ変換部１１４およびＤＣ−ＤＣ変換部１２４は、例えば、ＤＣ−ＤＣ変換を行う電気回路であり、レーザ光源１１１およびレーザ光源１２１を駆動する直流電力を出力する。
【００６４】
［蛍光体発光］
図８は、図４に示す第１光源ユニット１１、第２光源ユニット１２および波長変換部３４の特性の一例を示すグラフである。波長変換部３４は、励起スペクトルＢおよび蛍光スペクトルＣを有する第１蛍光体と、励起スペクトルＥおよび蛍光スペクトルＦを有する第２蛍光体と、を含んでいる。第１光源ユニット１１が出射した青色のレーザ光の波長Ａは、波長変換部３４の蛍光体の励起スペクトルＢのピークに近いため、効率良く波長変換部３４の蛍光体を励起することができる。また、第２光源ユニット１２が出射した青色のレーザ光の波長Ｄは、波長変換部３４の蛍光体の励起スペクトルＥのピークに近いため、効率良く波長変換部３４の蛍光体を励起することができる。また、第１光源ユニット１１および第２光源ユニット１２が出射するレーザ光は、単一波長の光であるため、蛍光体が発する蛍光の波長と混合させて、所望の色温度の光を得ることができる。
【００６５】
［実施の形態１に係る照明ランプの効果］
上記のように、第１光源ユニット１１が出射したレーザ光は、ダイクロイックミラー部３１Ａで第２光源ユニット１２が出射したレーザ光と合波される。すなわち、第２光源ユニット１２が出射したレーザ光は、第２導光部２２０を伝搬して、ミラー部２２２に入射する。ミラー部２２２に入射したレーザ光は、ダイクロイックミラー部３１Ａに向けて反射する。ダイクロイックミラー部３１Ａで合波されたレーザ光は、第１導光部３０を伝搬しながら、反射部３２で反射され、第２面３３Ｂから均一に出射される。第２面３３Ｂから出射された光は、波長変換部３４に入射される。波長変換部３４に入射された光は、その全てが波長変換部３４の蛍光体に照射されて、黄色光に変換されるのではなく、適度に散乱を繰り返しながら波長変換部３４を通過する。その結果、青色のレーザ光と黄色の蛍光とが混ざって所望の色温度の光が得られる。
【００６６】
上記のように、この実施の形態では、ダイクロイックミラー部３１Ａが透過した第１レーザ光に加えて、ダイクロイックミラー部３１Ａが反射した第２レーザ光が、第１導光部３０に入射されているため、高照度の発光装置７、照明ランプ１および照明装置６００を得ることができる。
【００６７】
さらに、この実施の形態では、波長変換部３４は、励起スペクトルＢおよび蛍光スペクトルＣを有する第１蛍光体と、励起スペクトルＥおよび蛍光スペクトルＦを有する第２蛍光体と、を含んでいる。また、波長変換部３４には、第１光源ユニット１１が出射した波長Ａの青色のレーザ光と、第２光源ユニット１２が出射した波長Ｄの青色のレーザ光とが入射されている。その結果、この実施の形態では、第１光源ユニット１１が出射したレーザ光と、第２光源ユニット１２が出射したレーザ光と、第１蛍光体が発する蛍光と、第２蛍光体が発する蛍光とを組み合わせて、所望の色温度の光を得ることができる。
【００６８】
さらに、この実施の形態では、第１光学ユニット２１と第２光学ユニット２２とが平行に配置されている。そして、第１光源ユニット１１は、第１光学ユニット２１の第１導光部３０に光を伝搬させるように配置されており、第２光源ユニット１２は、第２光学ユニット２２の第２導光部２２０に光を伝搬させるように配置されている。このため、この実施の形態では、設置スペースが限られたカバー４内に、適用することができる高照度の発光装置７が得られる。
【００６９】
［照明ランプの変形例１］
図９は、図７に記載のブロック図の変形例１である。図９に示す変形例では、交流電源から入力された交流電圧は、ソケット１００に取り付けられた照明ランプ１の口金５の給電端子５１を介して、ＡＣ−ＤＣ変換部１１４ＡおよびＡＣ−ＤＣ変換部１２４Ａに入力される。照明ランプ１のＡＣ−ＤＣ変換部１１４ＡおよびＡＣ−ＤＣ変換部１２４Ａは、例えば、ＡＣ−ＤＣ変換を行う電気回路であり、レーザ光源１１１およびレーザ光源１２１を駆動する直流電力を出力する。このように、この変形例１では、照明ランプ１に、ＡＣ−ＤＣ変換部１１４ＡおよびＡＣ−ＤＣ変換部１２４Ａが配置される構成であるため、図１に示す器具本体１４０のＡＣ−ＤＣ変換部１３０を省略することができる。すなわち、器具本体１４０の施工性を向上させることができる。
【００７０】
［照明装置の変形例１］
図１０は、図１に記載の照明装置６００の変形例１である。図１１は、図１０に記載の照明装置６００Ａの照明ランプ１Ａの部分のＥ−Ｅ断面を概略的に記載した概略断面図である。図１に示す例では、照明器具５００に着脱可能な直管タイプの照明ランプ１を取り付けた例について説明したが、この変形例１の照明ランプ１Ａは、照明器具５００Ａと一体的に形成された直付型タイプのものである。照明ランプ１のカバー４Ａは、光出射側の面が緩やかな曲線状に形成されている。カバー４Ａの断面形状は、概略蒲鉾形状に形成されている。カバー４Ａの内部には、光源ユニット１０、光学ユニット２０および放熱ユニット６等が収容されている。なお、照明装置および照明ランプの形状は、上記の形状に限定されるものではなく、適宜選択されることができる。
【００７１】
実施の形態２．
実施の形態２では、実施の形態１と比較して、レーザ光源パッケージ１１０、レーザ光源パッケージ１２０、およびＤＣ−ＤＣ変換部１１４の配置が異なるのみである。以下の説明では、実施の形態１と重複する部分については、説明を省略する。
【００７２】
図１２は、この実施の形態に係る照明ランプ１Ｂの断面（図４のＣ−Ｃ断面）を概略的に記載した概略断面図である。図１３は、図１２に記載の照明ランプ１Ｂのブロック図である。
【００７３】
図１２に示すように、この実施の形態では、一端側の口金５に取り付けられたレーザ光源パッケージ１１０と他端の口金５に取り付けられたレーザ光源パッケージ１２０とが、光軸をずらすように配置されている。すなわち、隣り合うレーザ光源パッケージ１１０の光軸の間に、レーザ光源パッケージ１２０の光軸が配置されるように、レーザ光源パッケージ１１０およびレーザ光源パッケージ１２０が配置されている。このため、この実施の形態では、例えば、レーザ光源パッケージ１１０の個数を減らしつつ、均一性が高い出射光を得ることができる。または、隣り合うレーザ光源パッケージ１１０の間の間隔を狭めて配置することによって、均一性が高い出射光を得ることができる。
【００７４】
また、この実施の形態では、一端側の口金５側にのみ、ＤＣ−ＤＣ変換部１２４が設置されている。この実施の形態では、図１３に示すように、一端側の口金５に取り付けられたレーザ光源１１１および他端の口金５に取り付けられたレーザ光源１２１は、１つのＤＣ−ＤＣ変換部１２４から駆動電力の供給を受けてレーザ光を出射する。このように構成することによって、ＤＣ−ＤＣ変換部１２４の個数を減らすことができ、組立工数も削減できるため、照明ランプの材料コスト及び製造コストを低減させることができる。
【００７５】
実施の形態３．
実施の形態１では、平板状の第１光学ユニット２１および第２光学ユニット２２であったが、この実施の形態に係る第１光学ユニット２１Ａおよび第２光学ユニット２２Ａは、曲げ形状を有するものである。以下の説明では、実施の形態１と重複する部分については、説明を省略する。
【００７６】
図１４は、この実施の形態に係る照明ランプ１の断面（図５のＤ−Ｄ断面）を概略的に記載した概略断面図である。この実施の形態では、第１光学ユニット２１Ａおよび第２光学ユニット２２Ａは、曲面を有するように形成されている。すなわち、この実施の形態に係る第１光学ユニット２１Ａおよび第２光学ユニット２２Ａは、第１光学ユニット２１Ａおよび第２光学ユニット２２Ａの短手方向の中央部が、第１光学ユニット２１Ａの光出射方向に、突出するように湾曲された形状を有する。
【００７７】
この実施の形態の第１光学ユニット２１Ａおよび第２光学ユニット２２Ａは、湾曲形状を有しているため、第１光学ユニット２１Ａおよび第２光学ユニット２２Ａを大型に形成することができる。また、この実施の形態の第１光学ユニット２１Ａでは、第１光学ユニット２１Ａの湾曲形状表面から出射した出射光が、カバー４の内面４１を均一に照射するため、照明ランプ１は均一な光を照射することができる。
【００７８】
実施の形態４．
実施の形態１では、照明ランプ１の長手方向（矢印Ｙ方向）の一方の端部側（図３の右側）にのみ、ミラー部２２２およびダイクロイックミラー部３１Ａが配置されていた。それと比較して、この実施の形態では、照明ランプ１の長手方向に沿って両側に、ミラー部２２２およびダイクロイックミラー部３１Ａが配置されるものである。以下の説明では、実施の形態１と重複する部分については、説明を省略する。
【００７９】
図１５は、この発明の実施の形態４に係る発光装置７Ａの断面を概略的に記載した概略断面図である。この実施の形態に係る第１光学ユニット２１は、その長手方向に沿って両側に、ダイクロイックミラー部３１Ａを有する。第１光源ユニット１１は、第１光学ユニット２１の長手方向に沿った両側に配置されており、ダイクロイックミラー部３１Ａに光を入射する。
【００８０】
一方の端部側（図１５の右側）のダイクロイックミラー部３１Ａには、第２光源ユニット１２から出射されて、第２光学ユニット２２のミラー部２２２で反射されたレーザ光が入射されている。他方の端部側（図１５の左側）のダイクロイックミラー部３１Ａには、第２光源ユニット１２から出射されて、第３光学ユニット２２Ｂのミラー部２２２Ａで反射されたレーザ光が入射されている。
【００８１】
第２光学ユニット２２および第３光学ユニット２２Ｂは、第１光学ユニット２１の第１面３３Ａ側に配置されている。第２光学ユニット２２と第３光学ユニット２２Ｂとの間には、間隙が形成されており、そこに、第２光源ユニット１２が設置されている。なお、第２光源ユニット１２は、例えば、放熱ユニット６の主面６２に形成された回路パターンに接続されており、回路パターンを介して電力を受けることができる。
【００８２】
第２光学ユニット２２に入射されたレーザ光は、他方の端部側に伝搬され、ミラー部２２２で反射されて、第１光学ユニット２１の他方の端部側のダイクロイックミラー部３１Ａに入射される。第３光学ユニット２２Ｂに入射されたレーザ光は、一方の端部側に伝搬され、ミラー部２２２Ａで反射されて、第１光学ユニット２１の一方の端部側のダイクロイックミラー部３１Ａに入射される。
【００８３】
上記のように、この実施の形態に係る発光装置７Ａでは、第１導光部３０の長手方向に沿った両側に、ダイクロイックミラー部３１Ａが配置されており、第１導光部３０の長手方向に沿った両側から、光が入射される。その結果、この実施の形態によれば、高照度の発光装置７Ａを得ることができる。
【００８４】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００８５】
例えば、上記の実施の形態の説明では、長手方向に細長いタイプの照明ランプについての説明を行ったが、この発明の照明ランプは、例えば、正方形または円形等の他の形状の照明ランプであってもよい。例えば、正方形または円形の照明ランプであった場合には、その周方向の全面に光源ユニットを配置して、周方向の全面から光を入射してもよい。
【００８６】
また、レーザ光源パッケージのうちの少なくとも１つは、レーザ光を導光部の入射端部に異なる角度で入射するように設置されてもよい。例えば、隣り合うレーザ光源パッケージが、レーザ光を導光部の入射端部に、異なる角度で入射するように設置されていてもよい。このように、レーザ光源パッケージを設置することによって、光学ユニットは均一な光を出射することができる。
【００８７】
また、上記の説明では、波長変換部は、黄色蛍光体を含み、黄色蛍光を発する例について説明したが、この発明はこれに限定されるものではない。例えば、波長変換部は、緑色蛍光体と赤色蛍光体とを含み、緑色蛍光および赤色蛍光が混ぜ合わされた黄色蛍光を発する。または、波長変換部は、複数の波長の蛍光を組み合わせて、黄色蛍光を発する。
【００８８】
また、上記の説明では、青色のレーザ光と黄色の蛍光とを組み合わせて、白色の光を得る構成について説明したが、レーザ光と波長変換部の発する波長変換された光とを組み合わせて、所望の色の光を得ることができる。
【符号の説明】
【００８９】
１  照明ランプ、１Ａ  照明ランプ、１Ｂ  照明ランプ、４  カバー、４Ａ  カバー、５  口金、６  放熱ユニット、７  発光装置、７Ａ  発光装置、８  ねじ、９  接着部材、１０  光源ユニット、１１  第１光源ユニット、１２  第２光源ユニット、２０  光学ユニット、２１  第１光学ユニット、２１Ａ  第１光学ユニット、２２  第２光学ユニット、２２Ａ  第２光学ユニット、２２Ｂ  第３光学ユニット、３０  第１導光部、３１  入射端部、３１Ａ  ダイクロイックミラー部、３２  反射部、３３Ａ  第１面、３３Ｂ  第２面、３４  波長変換部、４０  外面、４１  内面、４３  支持部、４６  主面、５０  口金筐体、５１  給電端子、５２  ねじ取付け部、６０  ねじ取付け部、６１  フィン、６２  主面、１００  ソケット、１１０  レーザ光源パッケージ、１１０Ａ  ホルダ、１１０Ｂ  リード端子、１１１  レーザ光源、１１２  集光レンズ、１１３  基板、１１４  ＤＣ−ＤＣ変換部、１１４Ａ  ＡＣ−ＤＣ変換部、１１５  反射板、１２０  レーザ光源パッケージ、１２０Ａ  ホルダ、１２０Ｂ  リード端子、１２１  レーザ光源、１２２  集光レンズ、１２３  基板、１２４  ＤＣ−ＤＣ変換部、１２４Ａ  ＡＣ−ＤＣ変換部、１３０  ＡＣ−ＤＣ変換部、１４０  器具本体、２２０  第２導光部、２２０Ａ  第１面、２２０Ｂ  第２面、２２１  入射端部、２２２  ミラー部、２２２Ａ  ミラー部、５００  照明器具、５００Ａ  照明器具、６００  照明装置、６００Ａ  照明装置、Ａ  第１光源ユニット波長、Ｂ  励起スペクトル、Ｃ  蛍光スペクトル、Ｄ  第２光源ユニット波長、Ｅ  励起スペクトル、Ｆ  蛍光スペクトル。
【図１】
0006548364.tif 000002
【図２】
0006548364.tif 000003
【図３】
0006548364.tif 000004
【図４】
0006548364.tif 000005
【図５】
0006548364.tif 000006
【図６】
0006548364.tif 000007
【図７】
0006548364.tif 000008
【図８】
0006548364.tif 000009
【図９】
0006548364.tif 000010
【図１０】
0006548364.tif 000011
【図１１】
0006548364.tif 000012
【図１２】
0006548364.tif 000013
【図１３】
0006548364.tif 000014
【図１４】
0006548364.tif 000015
【図１５】
0006548364.tif 000016